(57)【要約】【課題】外装ケース１の上面に、排気ダクト４に連通する、排気管を接続可能な筒状の排気接続口５と、排気管が内部に収納された２重管方式の給気管を接続可能な、排気接続口を囲う筒状の第１給気接続口６と、排気管から分離独立した２本管方式の給気管を接続可能な筒状の第２給気接続口７とが設けられた屋内設置型燃焼装置であって、第１と第２の何れの給気接続口から空気が流入しても同一の給気フィルタで対処できるようにした低コストのものを提供する。【解決手段】第１と第２の両給気接続口６，７に連通する給気ボックス８を設ける。給気ボックス８の１箇所に、第１と第２の両給気接続口６，７のうちの任意の給気接続口から流入した空気を外装ケース１の内部空間に流出させる流出口８２を開設し、この流出口８２に給気フィルタ８３を装着する。【選択図】図３
2018004186.tif 000002
【特許請求の範囲】
【請求項１】
外装ケース内に、バーナと、バーナから噴出する混合気の燃焼空間を囲う燃焼筐と、燃焼筐から排出される燃焼排ガスが流れる排気ダクトとが収納された屋内設置型燃焼装置であって、外装ケースの上面に、排気ダクトに連通する、排気管を接続可能な筒状の排気接続口と、排気管が内部に収納された２重管方式の給気管を接続可能な、排気接続口を囲う筒状の第１給気接続口と、排気管から分離独立した２本管方式の給気管を接続可能な筒状の第２給気接続口とが設けられるものにおいて、
第１と第２の両給気接続口に連通する給気ボックスが設けられ、給気ボックスの１箇所に、第１と第２の両給気接続口のうちの任意の給気接続口から流入した空気を外装ケースの内部空間に流出させる流出口が開設され、この流出口に、空気中の異物を捕捉する給気フィルタが装着されることを特徴とする屋内設置型燃焼装置。
【請求項２】
前記給気ボックスの一部は、前記外装ケースの一部で構成されることを特徴とする請求項１記載の屋内設置型燃焼装置。
【請求項３】
前記流出口から流出する空気が当たる位置に、動作中に発熱する部品が配置されることを特徴とする請求項１又は２記載の屋内設置型燃焼装置。
【請求項４】
請求項１〜３の何れか１項記載の屋内設置型燃焼装置であって、前記外装ケースは、前面が開放された箱形のケース本体と、ケース本体の前面に取付けられる前カバーとで構成されるものにおいて、前記給気フィルタは、前記流出口に前記給気ボックスの前方から抜差し自在に装着され、外装ケースの前カバーに、給気フィルタの前端に対向して給気フィルタを抜け止めするフィルタ押え部が設けられることを特徴とする屋内設置型燃焼装置。
【請求項５】
前記流出口は、前記給気ボックスの底板の前記第１と第２の両給気接続口の直下位置から外れた部分に開設されることを特徴とする請求項１〜４の何れか１項記載の屋内設置型燃焼装置。
【請求項６】
前記給気ボックスの底板は、前記流出口側が高くなるように、前後方向と左右方向の少なくとも一方に傾斜していることを特徴とする請求項５記載の屋内設置型燃焼装置。
【請求項７】
前記給気ボックスの底板に、前記第１と第２の両給気接続口の直下位置のうち前記流出口に隣接する給気接続口の直下位置と流出口との間に位置させて、底板の傾斜方向に沿ってのびる、下方に窪んだ凹溝又は上方に突出する凸条が設けられることを特徴とする請求項６記載の屋内設置型燃焼装置。
【発明の詳細な説明】
【技術分野】
【０００１】
本発明は、外装ケース内に、バーナと、バーナから噴出する混合気の燃焼空間を囲う燃焼筐と、燃焼筐から排出される燃焼排ガスが流れる排気ダクトとが収納された屋内設置型燃焼装置であって、外装ケース内に外部から空気を供給する給気管として、排気管が内部に収納された２重管方式の給気管と、排気管から分離独立した２本管方式の給気管との両者を使用可能としたものに関する。
【背景技術】
【０００２】
従来、この種の屋内設置型燃焼装置では、外装ケースの上面に、排気ダクトに連通する、排気管を接続可能な筒状の排気接続口と、２重管方式の給気管を接続可能な、排気接続口を囲う筒状の第１給気接続口と、２本管方式の給気管を接続可能な筒状の第２給気接続口とを設けている（例えば、特許文献１参照）。尚、このものにおいて、出荷段階では、第１と第２の各給気接続口を各蓋部材で閉塞しておき、二重管方式の給気管を使用する場合は、第１給気接続口にこれを閉塞する蓋部材を取外した状態で給気管を接続し、また、二本管方式の給気管を使用する場合は、第２給気接続口にこれを閉塞する蓋部材を取外した状態で給気管を接続している。
【０００３】
ところで、給気管を介して供給される空気には異物が含まれることがあるため、この異物が外装ケース内に侵入しないようにする必要がある。そこで、従来は、第１と第２の各給気接続口の外装ケース内に連通する出口部に、空気に含まれる異物を除去する給気フィルタを装着している。然し、これでは、第１給気接続口用と第２給気接続口用の２種類の給気フィルタが必要になり、コストアップを招く。
【先行技術文献】
【特許文献】
【０００４】
【特許文献１】特開２０１５−１８３８８７号公報
【発明の概要】
【発明が解決しようとする課題】
【０００５】
本発明は、以上の点に鑑み、第１と第２の何れの給気接続口から空気が流入しても同一の給気フィルタで対処できるようにした屋内設置型燃焼装置を提供することをその課題としている。
【課題を解決するための手段】
【０００６】
上記課題を解決するために、本発明は、外装ケース内に、バーナと、バーナから噴出する混合気の燃焼空間を囲う燃焼筐と、燃焼筐から排出される燃焼排ガスが流れる排気ダクトとが収納された屋内設置型燃焼装置であって、外装ケースの上面に、排気ダクトに連通する、排気管を接続可能な筒状の排気接続口と、排気管が内部に収納された２重管方式の給気管を接続可能な、排気接続口を囲う筒状の第１給気接続口と、排気管から分離独立した２本管方式の給気管を接続可能な筒状の第２給気接続口とが設けられるものにおいて、第１と第２の両給気接続口に連通する給気ボックスが設けられ、給気ボックスの１箇所に、第１と第２の両給気接続口のうちの任意の給気接続口から流入した空気を外装ケースの内部空間に流出させる流出口が開設され、この流出口に、空気に含まれる異物を捕捉する給気フィルタが装着されることを特徴とする。
【０００７】
本発明によれば、第１と第２の何れの給気接続口から空気が流入しても、給気ボックスの流出口に装着した同一の給気フィルタにより空気中の異物を捕捉して、清浄な空気を外装ケース内に供給できる。従って、第１給気接続口用と第２給気接続口用の２種類の給気フィルタを用意する必要がなく、コストダウンを図ることができる。
【０００８】
また、本発明において、給気ボックスの一部は、外装ケースの一部で構成されることが望ましい。これによれば、外装ケースの一部が給気ボックスの一部の構成部材に兼用されることになり、軽量化とコストダウンを図ることができる。
【０００９】
ところで、本発明においては、第１と第２の何れの給気接続口から空気が流入しても、外装ケース内に対する空気の供給箇所は給気ボックスの流出口となりそこから変化しない。そして、流出口から流出する空気が当たる位置に、動作中に発熱する部品（発熱部品）を配置しておけば、第１と第２の何れの給気接続口から空気が流入しても、発熱部品を効率よく冷却することができ、有利である。
【００１０】
ところで、外装ケースは、一般的に、前面が開放された箱形のケース本体と、ケース本体の前面に取付けられる前カバーとで構成される。この場合、給気フィルタは、流出口に給気ボックスの前方から抜差し自在に装着され、外装ケースの前カバーに、給気フィルタの前端に対向して給気フィルタを抜け止めするフィルタ押え部が設けられることが望ましい。これによれば、給気フィルタを固定するビス等の固定具が不要となり、給気フィルタの着脱作業性が向上すると共にコストダウンを図ることができる。
【００１１】
また、本発明においては、給気管に侵入した雨水が第１と第２の両給気接続口のうち給気管を接続する給気接続口から垂れ落ちても、この雨水が流出口に落下することを防止できるように、流出口は、給気ボックスの底板の第１と第２の両給気接続口の直下位置から外れた部分に開設されることが望ましい。
【００１２】
この場合、給気ボックスの底板を、流出口側が高くなるように、前後方向と左右方向の少なくとも一方に傾斜させれば、給気管を接続する給気接続口から垂れ落ちた雨水が底板を伝って流出口に侵入することを防止でき、有利である。更に、給気ボックスの底板に、第１と第２の両給気接続口の直下位置のうち流出口に隣接する給気接続口の直下位置と流出口との間に位置させて、底板の傾斜方向に沿ってのびる、下方に窪んだ凹溝又は上方に突出する凸条を設ければ、流出口への雨水の侵入をより確実に防止できる。
【図面の簡単な説明】
【００１３】
【図１】本発明の実施形態の燃焼装置の斜視図。
【図２】実施形態の燃焼装置の要部の切断側面図。
【図３】図２のＩＩＩ−ＩＩＩ線で切断した拡大断面図。
【図４】図３のＩＶ−ＩＶ線で切断した要部の切断側面図。
【図５】給気ボックスのボックス本体と給気フィルタの斜視図。
【発明を実施するための形態】
【００１４】
図１及び図２を参照して、本発明の実施形態の屋内設置型燃焼装置は、外装ケース１内に、混合気を下向きに噴出するバーナ２と、バーナ２から噴出する混合気の燃焼空間を囲うバーナ２の下側の燃焼筐３と、燃焼筐３から排出される燃焼排ガスが流れる排気ダクト４とが収納されている。尚、外装ケース１は、前面が開放されたケース本体１１と、ケース本体１１の前面に着脱自在に取付けられる前カバー１２とで構成されている。
【００１５】
バーナ２は、下向きに開口する箱形のバーナボディ２１と、バーナボディ２１の下向きの開口面を覆う燃焼板２２とを備えている。バーナボディ２１の上部には、ファン２３を接続する流入口２１ａが開設されている。ファン２３は、後述する給気管から外装ケース１内に供給される空気と燃料ガスとを混合して混合気を生成する予混合器２４の下流側に接続されている。そして、予混合器２４からの混合気をファン２３を介してバーナボディ２１内に供給し、この混合気を燃焼板２２に設けた混合気噴出部２２ａから下向きに噴出させて全一次燃焼（二次空気を必要としない燃焼）させるようにしている。
【００１６】
燃焼筐３は、上端部がバーナボディ２１の下面周縁部に締結される上下両面が開放された上部筐３１と、上部筐３１の下端に締結される偏平な皿状の中間筐３２と、中間筐３２の底板部に締結される上板部を有する上下両面が閉塞された下部筐３３とで構成されている。中間筐３２の底板部及び下部筐３３の上板部の前部には、中間筐３２の内部空間と下部筐３３の内部空間とを連通する通気口３４が設けられ、更に、下部筐３３の後面には排気口３５が開設されている。そして、燃焼排ガスが上部筐３１内から中間筐３２内と通気口３４と下部筐３３内と排気口３５とを介して排気ダクト４に流れるようにしている。
【００１７】
上部筐３１内には、多数の吸熱フィン３６ａとこれら吸熱フィン３６ａを貫通する複数本の吸熱パイプ３６ｂとから成るフィンアンドチューブ型の主熱交換器３６が配置されている。また、下部筐２３内には、前後方向に蛇行してのびる上下複数本の吸熱パイプ３７ａから成る潜熱回収型の副熱交換器３７が配置されている。そして、水が副熱交換器３７で加熱された後、主熱交換器３６で更に加熱され、設定湯温の温水となって給湯端末に供給されるようにしている。
【００１８】
図３も参照して、外装ケース１の上面には、左右方向中央部に位置させて、屋外にのびる排気管（図示省略）を接続可能な筒状の排気接続口５と、排気管が内部に収納された２重管方式の給気管（図示省略）を接続可能な、排気接続口５を囲う筒状の第１給気接続口６とが設けられ、更に、左側に偏倚した部分に位置させて、排気管から分離独立した２本管方式の給気管（図示省略）を接続可能な筒状の第２給気接続口７が設けられている。排気接続口５は、排気ダクト４の上端の前方への屈曲部４１の上面に立設した連結筒４２に下端部を嵌合させた状態で、排気ダクト４により支持されている。更に、屈曲部４１に、連結筒４２内に位置させて、排気接続口５に臨む排気流出口４３を設け、排気接続口５が排気流出口４３を介して排気ダクト４に連通するようにしている。また、第１と第２の各給気接続口６，７には、これを閉塞する各蓋部材６１，７１が装着されている。そして、給気管として２重管方式の給気管を使用する場合は、第１給気接続口６に蓋部材６１を取外した状態で２重管方式の給気管を接続し、また、給気管として２本管方式の給気管を使用する場合は、第２給気接続口７に蓋部材７１を取外した状態で２本管方式の給気管を接続する。
【００１９】
ところで、給気管を介して供給される空気には異物が含まれることがあるため、この異物が外装ケース１内に侵入しないようにする必要がある。この場合、第１と第２の各給気接続口６，７の外装ケース１内に連通する出口部に、空気に含まれる異物を除去する給気フィルタを装着することも考えられるが、これでは、第１給気接続口６用と第２給気接続口７用の２種類の給気フィルタが必要になり、コストアップを招く。
【００２０】
そこで、本実施形態では、外装ケース１の上面に沿わせて、第１と第２の両給気接続口６，７に連通する給気ボックス８を設けている。図５も参照して、給気ボックス８の１箇所、具体的には、給気ボックス８の底板８１の右前部には、第１と第２の両給気接続口６，７のうちの任意の給気接続口から流入した空気を外装ケース１の内部空間に流出させる流出口８２が開設されている。そして、この流出口８２に、空気中の異物を捕捉する給気フィルタ８３を装着している。
【００２１】
これによれば、第１と第２の何れの給気接続口６，７から空気が流入しても、給気ボックス８の流出口８２に装着した同一の給気フィルタ８３により空気中の異物を捕捉して、清浄な空気を外装ケース１内に供給できる。従って、第１給気接続口６用と第２給気接続口７用の２種類の給気フィルタを用意する必要がなく、コストダウンを図ることができる。
【００２２】
また、第１と第２の何れの給気接続口６，７から空気が流入しても、外装ケース１内に対する空気の供給箇所は給気ボックス８の流出口８２となりそこから変化しない。そして、本実施形態では、流出口８２から流出する空気が当たる位置、即ち、流出口８２の直下位置に、動作中に発熱する部品であるファン２３のモータ２３ａを配置している。そのため、第１と第２の何れの給気接続口６，７から空気が流入しても、発熱部品たるファンモータ２３ａを効率よく冷却することができる。
【００２３】
更に、給気ボックス８の底板８１の流出口８２を開設した右前部は、第１と第２の両給気接続口６，７の直下位置から外れた部分である。そのため、給気管に侵入した雨水が第１と第２の両給気接続口６，７のうち給気管を接続する給気接続口から垂れ落ちても、この雨水が流出口８２に落下することを防止できる。
【００２４】
また、給気ボックス８の底板８１は、流出口８２側が高くなるように、前後方向に傾斜、即ち、前上がりに傾斜している。これにより、給気管を接続する給気接続口から垂れ落ちた雨水が底板８１を伝って流出口８２に侵入することを防止できる。更に、本実施形態では、給気ボックス８の底板８１に、第１と第２の両給気接続口６，７の直下位置のうち流出口８２に隣接する給気接続口である第１給気接続口６の直下位置と流出口８２との間に位置させて、底板８１の傾斜方向に沿ってのびる、下方に窪んだ凹溝８４を設けている。これによれば、第１給気接続口６から垂れ落ちた雨水が流出口８２側に向かっても、この雨水は凹溝８４を伝って流下し、流出口８２への雨水の侵入をより確実に防止できる。
【００２５】
尚、給気ボックス８の底板８１を、流出口８２側が高くなるように、左右方向に傾斜、即ち、右上がりに傾斜させ、或いは、前上がりで且つ右上がりになるように前後方向及び左右方向に傾斜させることも可能であり、要は、給気ボックス８の底板８１を、流出口８２側が高くなるように、前後方向と左右方向の少なくとも一方に傾斜させればよい。更に、給気ボックス８の底板８１に、凹溝８４に代えて上方に突出する凸条を設けてもよい。尚、本実施形態では、底板８１の第１給気接続口６の直下位置と第２給気接続口７の直下位置との間の部分及び第２給気接続口７の直下位置の左側にも凹溝８４´を設けているが、これら凹溝８４´は省略してもよい。また、底板８１の後部には、排気ダクト４の上端の屈曲部４１の後部上面の突起部との干渉を回避する上方に窪んだ逃げ部８５が設けられている。
【００２６】
また、本実施形態では、底板８１と前板部と左右の側板部とを有するボックス本体８ａをケース本体１１の上板部と後板部とで上方及び後方から覆うことにより給気ボックス８を構成している。即ち、ケース本体１１の上板部と後板部が給気ボックス８の上板部と後板部の構成部材に兼用されることになる。そのため、軽量化とコストダウンとを図ることができる。尚、ケース本体１１の上板部の下面には、パッキン１１ａが取付けられている。また、排気ダクト４の上端の屈曲部４１の前端には、給気ボックス８の前板部に締結される固定部４４が設けられている。
【００２７】
給気フィルタ８３は、流出口８２に給気ボックス８の前方から抜差し自在に装着されている。具体的には、流出口８２の左右の各側縁部に、給気フィルタ８３の左右の各側縁部の下面を受ける支持部８２ａを設けて、この支持部８２ａにより給気フィルタ８３が前後方向に抜差し自在に支持されるようにしている。また、外装ケース１の前カバー１２に、図４に示す如く、給気フィルタ８３の前端に対向して給気フィルタ８３を抜け止めするフィルタ押え部１２ａを設けている。これにより、給気フィルタ８３を固定するビス等の固定具が不要となり、給気フィルタ８３の着脱作業性が向上すると共にコストダウンを図ることができる。
【００２８】
以上、本発明の実施形態について図面を参照して説明したが、本発明はこれに限定されない。例えば、本実施形態では、予混合器２４からファン２３を介して供給される混合気をバーナ２から噴出させて全一次燃焼させるようにしているが、二次空気を必要とするブンゼン燃焼式のバーナを用いる燃焼装置にも同様に本発明を適用できる。また、上記実施形態では、給気ボックス８の底板８１に流出口８２を開設しているが、給気ボックスの高さ寸法を大きくできるのであれば、給気ボックスの左右一側の側板に流出口を開設することも可能である。
【符号の説明】
【００２９】
１…外装ケース、１２…前カバー、１２ａ…フィルタ押え部、２…バーナ、３…燃焼筐、４…排気ダクト、５…排気接続口、６…第１給気接続口、７…第２給気接続口、８…給気ボックス、８１…底板、８２…流出口、８３…給気フィルタ、８４…凹溝。
【図１】
2018004186.tif 000003
【図２】
2018004186.tif 000004
【図３】
2018004186.tif 000005
【図４】
2018004186.tif 000006
【図５】
2018004186.tif 000007